(57)【要約】【課題】本発明は、光ディスクにデータを記録処理に要する準備時間を短縮することができる。【解決手段】本発明は、ＰＦＩ情報がメインエリアよりも低記録密度領域であるＡＤＩＰに記録され、第１セッションのクローズ処理が実行されるまで当該ＰＦＩ情報がメインエリアに複製記録されないＤＶＤ＋Ｒが光ディスク５０として挿入されると、ディスクカウントゾーンＤＩＣが未記録であるか否かを判別し、ディスクカウントゾーンＤＩＣが未記録な場合には、ＡＤＩＰからＰＦＩ情報を読み出し、ディスクカウントゾーンＤＩＣに当該ＰＦＩ情報を複製記録する。【選択図】図３
2007188584.tif 000002
【特許請求の範囲】
【請求項１】
所定の記録密度でデータが記録されるデータ記録領域と、上記データ記録領域よりも記録密度の低い予め記録条件情報が記録された低記録密度領域とを有し、所定のクローズ処理の際、上記データ記録領域の予め規定された所定の書込領域に上記記録条件情報が複製記録される光ディスクに対し、上記データを記録する記録装置であって、
上記光ディスクが挿入された際、上記データ記録領域に上記記録条件情報が複製記録されているか否かを判別する判別部と、
上記データ記録領域に上記記録条件情報が複製記録されていない場合には、上記低密度記録領域から上記記録条件情報を読み出す読出部と、
上記光ディスクが挿入されている間に、上記低密度記録領域から読み出された上記記録条件情報を上記データ記録領域の複製領域に複製記録する記録部と
を具えることを特徴とする記録装置。
【請求項２】
上記光ディスクは、
ＤＶＤ＋Ｒ（Digital Versatile Disc＋Recordable）である
ことを特徴とする請求項１に記載の記録装置。
【請求項３】
上記複製領域は、
ディスクカウントゾーンである
ことを特徴とする請求項２に記載の記録装置。
【請求項４】
上記読出部は、
上記光ディスクが挿入されたとき、上記データ記録領域の上記書込領域と上記複製領域とに対する読出処理を実行し、上記書込領域と上記複製領域との両方から上記記録条件情報を読み出すことができなかった場合に、上記低記録密度領域から上記記録条件情報を読み出す
ことを特徴とする請求項１に記載の記録装置。
【請求項５】
所定の記録密度でデータが記録されるデータ記録領域と、上記データ記録領域よりも記録密度の低い予め記録条件情報が記録された低記録密度領域とを有し、所定のクローズ処理の際、上記データ記録領域の予め規定された所定の書込領域に上記記録条件情報が複製記録される光ディスクに対し、上記データを記録する記録方法であって、
上記光ディスクが挿入された際、上記データ記録領域に上記記録条件情報が複製記録されているか否かを判別する判別ステップと、
上記データ記録領域に上記記録条件情報が複製記録されていない場合には、上記低密度記録領域から上記記録条件情報を読み出す読出ステップと、
上記光ディスクが挿入されている間に、上記低密度記録領域から読み出された上記記録条件情報を上記データ記録領域の複製領域に複製記録する記録ステップと
を具えることを特徴とする記録方法。
【請求項６】
コンピュータに対して、
所定の記録密度でデータが記録されるデータ記録領域よりも記録密度の低い低記録密度領域に記録条件情報が予め記録されており、所定のクローズ処理中に上記データ記録領域における所定の書込領域に当該記録条件情報が複製記録される光ディスクが挿入された際、
上記データ記録領域に上記記録条件情報が複製記録されているか否かを判別する判別ステップと、
上記データ記録領域に上記記録条件情報が複製記録されていない場合には、上記低密度記録領域から上記記録条件情報を読み出す読出ステップと、
上記光ディスクが挿入されている間に、上記低密度記録領域から読み出された上記記録条件情報を上記データ記録領域における所定の複製領域に複製記録する記録ステップと
を実行させる記録プログラム。
【発明の詳細な説明】
【技術分野】
【０００１】
本発明は、記録装置、記録方法及び記録プログラムに関し、例えば記録媒体としてＤＶＤ＋Ｒ（Digital Versatile Disc＋Recordable）を使用するディスクカムコーダに適用して好適なものである。
【背景技術】
【０００２】
従来、ディスクカムコーダで記録媒体として使用されるＤＶＤ＋Ｒは、図６で示すように、記録可能な領域として所定の記録密度のデータ記録領域でなるメインエリアと、当該データ記録領域の記録密度よりも低い低記録密度のデータ記録領域でなるＡＤＩＰ（Address In Pre-groove）とを有している。
【０００３】
このメインエリアは、ＤＶＤ＋Ｒの記録層において撮像データ等が記録されるデータゾーンよりも内周部分にディスク管理領域であるインナードライブエリアと、セッションの先頭に付加されるリードインゾーンとを有している。
【０００４】
このリードインゾーンは、ディスクＩＤ（IDentification）ゾーンやコントロールデータゾーンＣＤＺ等によって構成され、このディスクＩＤゾーンにはＤＶＤ＋Ｒに固有のディスクＩＤ情報が予め格納されている。一方、コントロールデータゾーンＣＤＺには、一般的なＤＶＤプレーヤやＤＶＤ−ＲＯＭプレーヤでＤＶＤ＋Ｒを再生できるようにするためのファイナライズ処理の際に、ＡＤＩＰに予め記録されている光ディスクの種別や記録可能最大アドレス、記録処理の際に必要となる情報等の記録条件情報であるＰＦＩ（Physical Format Information）情報が複製記録されるようになされている。
【０００５】
一方、ＡＤＩＰには、ＰＦＩ情報等のＡＵＸ（AUXiliary）インフォメーションがウォブリンググルーブとして記録されるようになされている。図７（Ａ）に示すように、１ウォブルは３２チャンネルビットの区間に相当し、８ウォブルと８５モノトーンウォブルの９３ウォブルで１つの単位が形成される。ただし実際には、８５モノトーンウォブルは、変調されていない８５波のウォブル区間である。そして先頭の８ウォブルのみが、位相変調されていることで、１つのＡＤＩＰユニットとしての情報を備える。
【０００６】
図７（Ｂ）に示すように、８ウォブルで形成される１つのＡＤＩＰユニットが５２個集められることにより、１つのＡＤＩＰワードが形成される。「wobble 0」「wobble 1 to 3」「wobble 4 to 7」は、このＡＤＩＰユニットとしての８ウォブルの各ウォブルを示している。ＡＤＩＰワードの先頭のＡＤＩＰユニットはシンクユニットとされ、「wobble 0」「wobble 1 to 3」が、ワードシンクとして位相変調されたウォブルとなる。
【０００７】
ＡＤＩＰワードにおける２番目以降のＡＤＩＰユニットは、それぞれデータユニットとされ、「wobble 0」によりビットシンクが、また「wobble 4 to 7」がデータビット（つまりデータとしての「１」又は「０」）を表すものとされる。そして５２ＡＤＩＰユニットで構成される１つのＡＤＩＰワードは４フィジカルセクタの区間に相当する。そして４ＡＤＩＰワードでＡＤＩＰとしての１つのＥＣＣ(Error Correction Code)ブロック（以下、単にブロックと呼ぶ）が形成される。
【０００８】
図８に示すように、１つのＡＤＩＰワードからは上述したワードシンクを除く５１ビットのデータ（データビット１〜５１）が取得されるが、データビット２〜２３によってＡＤＩＰアドレスが記録され、このＡＤＩＰアドレスはＡＤＩＰの全体に渡って記録される。また、データビット２４〜３１はＡＵＸデータ、データビット３２〜５１はＥＣＣパリティとされる。
【０００９】
従って、ＡＤＩＰは、非常に記録密度が低く、ＤＶＤ＋Ｒの内周側（すなわちインナードライブエリアやリードインゾーンと対応する部分）で、１つのＡＤＩＰワードにつき１バイトのＡＵＸデータ（１ブロック単位で４バイトのＡＵＸデータ）としてＰＦＩ情報が記録される。そしてＰＦＩ情報は、２５６バイトの情報量を有していることにより、６４ブロックに渡って記録されている。
【００１０】
これに対して、撮像画像データ等のデータが主に記録されるメインエリアは、データの記録密度が高く、このＰＦＩ情報を１ブロック以下で記録することができる。
【００１１】
このため、ディスクカムコーダ等の記録再生装置は、ＤＶＤ＋Ｒ等の光ディスクが挿入されたときの記録準備処理において、高記録密度のコントロールデータゾーンＣＤＺに対する読出処理をまず実行し、当該コントロールデータゾーンＣＤＺからＰＦＩ情報が取得できない場合のみ低記録密度のＡＤＩＰからＰＦＩ情報を読み出すようになされている（例えば、特許文献１参照）。次に、図９のフローチャートを用いて従来の記録準備処理手順ＲＴ１について説明する。
【００１２】
ステップＳＰ１においてディスクカムコーダは、光ディスクが挿入されると、次のステップＳＰ２において当該光ディスクの種別を判別し、以降は各光ディスクに対応する処理を実行する。この光ディスクがＤＶＤ＋Ｒであった場合には、ディスクカムコーダは、次のステップＳＰ３へ移り、図１０に示す従来のＰＦＩ情報取得処理を表すサブルーチンＳＲＴ２のステップＳＰ１１において、コントロールデータゾーンＣＤＺに対して読出処理を実行する。
【００１３】
ステップＳＰ１２において、ディスクカムコーダは、コントロールデータゾーンＣＤＺに対して再生処理を実行しても再生ＲＦ信号としてＰＦＩ情報が取得できなかった場合、次のステップＳＰ１３に移り、再生ＲＦ信号が検出できなかったことからコントロールデータゾーンＣＤＺが未記録状態であることを確認し、ステップＳＰ１４に移る。
【００１４】
ディスクカムコーダは、ステップＳＰ１４においてＡＤＩＰからＰＦＩ情報を取得し、ステップＳＰ１５において正常にＰＦＩ情報を取得したことを確認した場合、及びステップＳＰ１２でＰＦＩ情報を取得できた場合には、従来の記録準備処理手順ＲＴ１（図９）のステップＳＰ４へ移り、光ピックアップのサーボ調整を実行する。
【００１５】
そしてディスクカムコーダは、ステップＳＰ５〜ＳＰ６において撮像データファイルの長さや開始位置を示すＴＯＣ（Table Of Contents）情報と、ディスクＩＤ情報とを取得し、ステップＳＰ７においてＯＰＣ（Optimum Power Control）の際に試し書き領域として使用されるディスクテストゾーンＤＩＴを検索すると、処理を終了する。
【特許文献１】特開２００５−１８９１９公報
【発明の開示】
【発明が解決しようとする課題】
【００１６】
ところで、このディスクカムコーダは、光ディスクが挿入された際、上述の記録準備処理を実行するようになされているが、その記録準備処理が終了しなければ、光ディスクに対して撮像データを記録し始めることができないため、記録準備処理に要する時間をできるだけ短くして、撮影機会を逸しないようにすることが要求されている。
【００１７】
しかしながら、かかる構成のディスクカムコーダにおいては、光ディスクとしてＤＶＤ＋Ｒが挿入される場合、第１セッションのクローズ処理の際に、コントロールデータゾーンＣＤＺにＰＦＩ情報を記録するようになされているため、第１セッションのクローズ処理が実行されていないＤＶＤ＋Ｒについては挿入の度に低記録密度のＡＤＩＰからＰＦＩ情報を取得する。そしてディスクカムコーダは、上述したように、ＡＤＩＰの６４ブロックに渡って読出処理を実行することによりＰＦＩ情報を取得するため、かかるＰＦＩ情報の取得に時間がかかってしまい、第１セッションのクローズ処理を実行済みのＤＶＤ＋Ｒが挿入された場合と比較して、記録準備処理に要する時間が長くなってしまうという問題があった。
【００１８】
本発明は以上の点を考慮してなされたもので、所定のクローズ処理が実行されていない光ディスクであっても、記録準備処理に要する時間を短縮する記録装置、記録方法及び記録プログラムを提案しようとするものである。
【課題を解決するための手段】
【００１９】
かかる課題を解決するため本発明においては、所定の記録密度でデータが記録されるデータ記録領域と、データ記録領域よりも記録密度の低い予め記録条件情報が記録された低記録密度領域とを有し、所定のクローズ処理の際、データ記録領域の予め規定された所定の書込領域に記録条件情報が複製記録される光ディスクが挿入された際、データ記録領域に記録条件情報が複製記録されているか否かを判別し、データ記録領域に記録条件情報が複製記録されていない場合には、低密度記録領域から記録条件情報を読み出し、光ディスクが挿入されている間に、低密度記録領域から読み出された記録条件情報をデータ記録領域の複製領域に複製記録するようにした。
【００２０】
これにより、光ディスクが挿入されている間に、確実に記録条件情報をデータ記録領域の複製領域に複製記録することができるため、その光ディスクが一旦取出された後に再度当該光ディスクが挿入された際には、記録準備処理において低記録密度領域ではなく複製領域から記録条件情報を読み出すことができる。
【発明の効果】
【００２１】
本発明によれば、光ディスクが挿入されている間に、確実に記録条件情報をデータ記録領域の複製領域に複製記録することができるため、その光ディスクが一旦取出された後に再度当該光ディスクが挿入された際には、記録準備処理において低記録密度領域ではなく複製領域から記録条件情報を読み出すことができ、かくして所定のクローズ処理が実行されていない光ディスクであっても、記録準備処理に要する時間を短縮する記録装置、記録方法及び記録プログラムを実現できる。
【発明を実施するための最良の形態】
【００２２】
以下、図面について、本発明の一実施の形態を詳述する。
【００２３】
（１）ディスクカムコーダの全体構成
図１において１は、全体としてディスクカムコーダの全体構成を示し、制御部２と、カメラ部３と、記録再生処理部４とを有している。制御部２のＣＰＵ（Central Processing Unit）２１は、当該制御部２の各部を制御すると共に、バス２２を介して接続されたカメラ部３と記録再生処理部４とを制御することにより、ディスクカムコーダ１全体を統括制御し、ＲＯＭ（Read Only Memory）２３又はＲＡＭ（Random Access Memory）２４に予め格納された各種基本プログラムや起動プログラム等に基づいて、各種処理や後述する光ディスク挿入時の記録準備処理を実行するようになされている。
【００２４】
この制御部２では、ＣＰＵ２１に対し、バス２２を介してＲＯＭ２３と、ＲＡＭ２４と、各種操作キーを有する操作入力部５１と接続された操作入力インターフェース２５と、ＬＣＤ（Liquid Crystal Display）等でなる表示部５２に接続された表示制御部２６と、メモリカードインターフェース２７と、ジャイロスコープである角速度検出器２８と、時計回路２９とが接続されることによって構成されている。
【００２５】
一方、カメラ部３は、カメラ制御部３３と、内部に被写体を撮像するためのレンズ群、絞り調整機構、フォーカス調整機構、ズーム機構、シャッター機構、フラッシュ機構及び手ぶれ補正機構等を有する光学ブロック３４と、ＣＣＤ（Charge-coupled device）等でなる信号変換器３５と、撮像信号処理部３６と、音声入力部３７と、音声信号処理部３８とからなる。
【００２６】
他方、記録再生処理部４は、記録再生制御部４１と、サーボ回路４２と、スピンドルモータ４３と、スレッドモータ４４と、光ピックアップ４５と、信号処理部４６と、バッファメモリ４７と、符号化／復号回路４８とからなる。
【００２７】
ＣＰＵ２１は、ディスクカムコーダ１の図示しないディスク挿入部に光ディスク５０が挿入された状態でユーザの操作入力部５１の操作に応じて例えば撮像処理の開始や再生処理の開始などの操作入力信号が操作入力インターフェース２５を介して供給されると、当該操作入力信号に応じて制御信号を生成し、制御部２、カメラ部３及び記録再生処理部４の各部へ送出する。
【００２８】
カメラ制御部３３は、制御部２のＣＰＵ２１から供給される制御信号に応じたコマンド信号を光学ブロック３４に送出して制御することにより、光学ブロック３４によって、撮像光を取り込む。
【００２９】
信号変換器３５は、光学ブロック３４によって取り込まれた撮像光を撮像信号に変換し、撮像信号処理部３６に送出する。撮像信号処理部３６は、供給された撮像信号に対して、ガンマ補正処理やＡＧＣ（Auto Gain Control）処理、及びアナログデジタル変換処理を施して撮像画像信号を生成し、当該撮像画像信号をＣＰＵ２１と記録再生処理部４の符号化／復号回路４８とへ送出する。
【００３０】
音声入力部３７は、このときディスクカムコーダ１周辺の音声を集音して音声信号として音声信号処理部３８へ供給する。音声信号処理部３８は、制御部２からの制御信号に基づいて、音声信号に対して各種補正処理、ＡＧＣ処理及びアナログデジタル変換処理を施してデジタル音声信号を生成し、当該デジタル音声信号を記録再生処理部４の符号化／復号回路４８へ送出する。
【００３１】
また、記録再生処理部４の記録再生制御部４１は、制御部２のＣＰＵ２１から供給される制御信号に応じたコマンド信号を記録再生処理部４の各部に送出して制御し、記録処理及び再生処理を実行する。
【００３２】
符号化／復号回路４８は、カメラ部３から撮像画像信号やデジタル音声信号が供給されると、当該撮像画像信号及びデジタル音声信号を符号化することによりＥＦＭ＋（Eight to Fourteen Modulation Plus）信号を生成し、当該ＥＦＭ＋信号を記録再生制御部４１に送出する。
【００３３】
記録再生制御部４１は、このＥＦＭ＋信号をバッファメモリ４７に一時記憶しながら光ピックアップ４５を制御し、光ディスク５０への記録処理を実行する。
【００３４】
すなわち記録再生制御部４１は、サーボ回路４２を介してスピンドルモータ４３を回転させ、ターンテーブル（図示せず）に載置された光ディスク５０を回転駆動する。また光ピックアップ４５は、光ディスク５０の記録層にレーザ光を照射すると共に、当該光ディスク５０の記録層で反射された反射レーザ光を光電変換して反射光量に応じた光電信号を生成し、信号処理部４６へ送出する。
【００３５】
信号処理部４６は、光ピックアップ４５から供給される光電信号に応じて光ピックアップ４５を制御するためのトラッキングエラー信号及びフォーカスエラー信号を生成し、記録再生制御部４１へ送出する。
【００３６】
記録再生制御部４１は、サーボ回路４２を介して光ピックアップ４５を制御し、トラッキングエラー信号に応じてスレッドモータ４４を駆動させ、光ピックアップ４５をトラッキング方向に移動させる。これに加えて記録再生制御部４１は、かかるトラッキングエラー信号及びフォーカスエラー信号に応じて当該光ピックアップ４５の対物レンズ駆動装置をトラッキング方向、フォーカス方向及びチルト方向に駆動して対物レンズを最適な位置に移動させる。
【００３７】
また、記録再生制御部４１は、再生処理の際、記録処理のときと同様に記録再生処理部４の各部を制御する。
【００３８】
このとき、信号処理部４６は、光ピックアップ４５から供給される光電信号に基づいて再生信号を生成し、符号化／復号回路４８へ送出する。符号化／復号回路４８は、当該再生信号を画像データである再生画像信号へ復号し、ＣＰＵ２１に送出する。
【００３９】
ＣＰＵ２１は、撮像画像信号や再生画像信号がカメラ部３や記録再生処理部４からそれぞれ供給されると、表示制御部２６を介して当該撮像画像信号及び当該再生画像信号に基づく撮像画像及び再生画像を表示部５２に表示する。
【００４０】
また、ＣＰＵ２１は、メモリカードインターフェース２７を介して記録再生処理部４から供給される撮像データをメモリカード５３に記録する一方、メモリカードインターフェース２７を介してメモリカード５３に記録された撮像データを再生し、記録再生処理部４へ供給する。また、角速度検出器２８は、ディスクカムコーダ１に対して外部から加わる角速度を表す角速度情報を生成し、時計回路２９は、年月日、時分秒などを表す時間情報を生成する。
【００４１】
（２）光ディスク挿入時の記録準備処理
（２−１）光ディスクの記録状況の認識とＰＦＩ情報の記録
次に、ディスクカムコーダ１の挿入部に光ディスク５０が挿入された場合に実行される記録準備処理について説明する。
【００４２】
ディスクカムコーダ１のＣＰＵ２１は、光ディスク５０が挿入部に挿入されると、光ディスク５０の記録層にレーザ光を照射しながら光ピックアップ４５の対物レンズをフォーカス方向に移動させるフォーカスサーチを実行し、このとき得られる光ディスク５０からの反射レーザ光の反射光量に応じた光電信号から、光ディスク５０の記録層に対する当該対物レンズの合焦点位置を検出する。さらにＣＰＵ２１は、この光電信号に基づいて光ディスクの種別やＲ／ＲＷのいずれであるかを判別し、さらにＷｏｂｂｌｅ信号の有無を検出することによって＋／−のいずれであるかを判別する。
【００４３】
ここで、光ディスク５０は、例えばＤＶＤ＋Ｒ（Digital Versatile Disc＋Recordable）、ＤＶＤ−Ｒ等の種別により各規格で定められたフォーマットが異なっていることから、ＣＰＵ２１は、判別された各光ディスク５０の種別に応じた処理を実行する。
【００４４】
例えば光ディスク５０がＤＶＤ＋Ｒであった場合、ＣＰＵ２１は、光ディスク５０の記録層を読出処理することにより、図６を用いて上述した記録条件情報であるＰＦＩ（Physical Format Information）情報、記録されている撮像データファイルに関する情報を示すＴＯＣ（Table Of Contents）情報、光ディスクに固有のディスクＩＤ情報を取得し、当該光ディスク５０の記録状況を認識する。
【００４５】
すなわち、ＣＰＵ２１は、記録再生制御部４１を介して光ピックアップ４５を制御することにより、光ピックアップ４５の対物レンズを光ディスク５０の記録層の各種情報が記録されているトラックの合焦点位置に移動させると、レーザダイオードからレーザ光を発射すると共に、このレーザ光が光ディスク５０に反射されてなる反射レーザ光をフォトダイオードによって受光し、信号処理部４６によってこの反射レーザ光の反射光量に応じた光電信号から再生ＲＦ信号を生成するようにして、各種情報の読出処理を実行する。
【００４６】
このとき、ＣＰＵ２１は、通常は１〜２ＥＣＣブロック（以下、単にブロックと呼ぶ）分、最大１６ブロック分のデータを読み出すことによってＴＯＣ情報及びディスクＩＤ情報を取得でき、１ブロック分のデータを読み出すことによってコントロールデータゾーンＣＤＺに記録されたＰＦＩ情報を取得することができる。
【００４７】
しかし、ＣＰＵ２１は、このコントロールゾーンＣＤＺにＰＦＩ情報が記録されていない場合には、図９を用いてＤＶＤ＋Ｒについて上述したように、低記録密度のＡＤＩＰに対して読出処理を実行し、ＰＦＩ情報を取得する。このときＣＰＵ２１は、最低でも６４ブロックのＡＵＸデータを読み出さなければならず、読出処理に時間を要してしまう。さらにこのデータはエラー訂正能力が低いため、読出エラーとなり再度読出処理を実行する確率が高く、このように読出エラーが発生するとＰＦＩ情報の取得にさらに時間を要してしまう。
【００４８】
ここで、ＣＰＵ２１は、光ディスク５０がＤＶＤ＋ＲＷやＤＶＤ−Ｒ／−ＲＷであった場合でも同様に、コントロールゾーンＣＤＺや当該コントロールゾーンＣＤＺに相当するＲＭＤ（Recording Management Data）にＰＦＩ情報が記録されていない場合には、ＡＤＩＰやＡＤＩＰに相当するＬＰＰ（Land Pre-Pit）からＰＦＩ情報を取得するため、ＤＶＤ＋Ｒのときと同様にそのＰＦＩ情報の取得に時間を要することになる。
【００４９】
ところが、ＤＶＤ＋ＲＷ規格では、データの記録前に実行されるフォーマット処理において、ＡＤＩＰから取得したＰＦＩ情報を複製してコントロールゾーンＣＤＺに記録する。このため、ＣＰＵ２１は、フォーマット処理が実行されたことのないバージン状態の光ディスク５０が挿入された場合には、低記録密度のＡＤＩＰからＰＦＩ情報を読み出すことになるが、光ディスク５０が２回目以降に挿入されるときには、コントロールゾーンＣＤＺにＰＦＩ情報が記録されているため、高記録密度のそのコントロールゾーンＣＤＺからＰＦＩ情報を読み出せばよい。
【００５０】
同様に、ＤＶＤ−Ｒ／−ＲＷ規格では、データ記録時にＰＦＩ情報を複製してＲＭＤに記録するため、光ディスク５０が２回目以降に挿入されるときには、高記録密度のＲＭＤからＰＦＩ情報を読み出せばよい。
【００５１】
これに対して、ＤＶＤ＋Ｒ規格では、第１セッションのクローズ処理の際にＰＦＩ情報の複製と最終的に記録されたデータの最終記録アドレスとを併せてコントロールゾーンＣＤＺに記録するように定められている。この第１セッションのクローズ処理は、再生型のＤＶＤプレーヤとの互換性を保つために一般的なＤＶＤプレーヤ等で再生できるようにセッションを閉じる際に実行されるため、撮像データが記録された光ディスク５０であっても必ずしも実行される必要はない。なお、この第１セッションのクローズ処理は、例えばファイナライズ処理において実行される。
【００５２】
従って、仮に第１セッションのクローズ処理を未実行なためコントロールゾ―ンＣＤＺにＰＦＩ情報が記録されないまま光ディスク５０の挿入及び取出が実行されると、ＣＰＵ２１は、この光ディスク５０が挿入される度にＡＤＩＰからＰＦＩ情報を取得しなければならず、ＰＦＩ情報の取得に時間を要することになる。
【００５３】
そこで本発明のディスクカムコーダ１では、挿入部に挿入された光ディスク５０がＤＶＤ＋Ｒであり、かつ当該光ディスク５０がディスクカムコーダ１に初めて挿入されたバージン状態であった場合には、ＡＤＩＰから取得したＰＦＩ情報を当該光ディスク５０のディスク管理情報領域に記録しておくことにより、次にこの光ディスク５０が挿入された以降には、低記録密度のＡＤＩＰからではなく高記録密度のディスク管理情報領域から速やかにＰＦＩ情報を取得し得るようにしている。以下、光ディスク５０としてＤＶＤ＋Ｒが挿入された場合の処理について説明する。
【００５４】
ディスクカムコーダ１のＣＰＵ２１は、光ディスク５０がＤＶＤ＋Ｒであることを判別すると、まず、後述する処理により当該光ディスク５０のＰＦＩ情報を取得し、ＲＡＭ２４に一時記憶する。
【００５５】
ＣＰＵ２１は、ＰＦＩ情報を取得すると、光ディスク５０に対するフォーカス方向、トラッキング方向及びチルト方向のオフセット、ゲイン等に基づき当該光ディスク５０に対するサーボ調整を実行する。
【００５６】
ＣＰＵ２１は、メインエリアの管理情報領域であるインナードライブエリア（図２）の読出処理を実行する。このインナードライブエリアは、内周側からデータが一切記録されないイニシャルゾーン、ＯＰＣ（Optimum Power Control）用の試し書き領域として使用されるディスクテストゾーンＤＩＴ、当該ディスクテストゾーンＤＩＴの使用状況を通知するための領域であるディスクカウントゾーンＤＩＣ、ＴＯＣ情報が記録されたＴＯＣゾーンから構成される。
【００５７】
ＣＰＵ２１は、まずＴＯＣゾーンからＴＯＣ情報を読み出し、ＲＡＭ２４に一時記憶すると共に、このＴＯＣ情報から例えば光ディスク５０に記録されているファイルの数等の表示情報を取得し、かかる表示情報を表示部５２に表示する。さらにＣＰＵ２１は、リードインゾーンのディスクＩＤゾーンからディスクＩＤ情報を読み出し、ＲＡＭ２４に一時記憶する。
【００５８】
そしてＣＰＵ２１は、ディスクカウントゾーンＤＩＣに対して読出処理を実行し、ディスクカウントゾーンＤＩＣの最終使用アドレスを示すＤＩＣアドレスを取得し、ディスクテストゾーンＤＩＴにデータが記録されているか否かを判別する。なお、ディスクカウントゾーンＤＩＣは、ＯＰＣ処理の際、ディスクテストゾーンＤＩＴに実際に試し書きされる試書データの使用状況を通知し得るようになされおり、試書データの記録の有無と、その試書に対して最終的に使用された最終記録位置とを記録するようになされている。例えばディスクテストゾーンＤＩＴに試書データが４ブロック記録されると、これに応じてダミーデータを充填するパディング記録により、かかるダミーデータがディスクカウントゾーンＤＩＣに試書データの１／４のデータ量として１ブロック分記録されるようになされている。
【００５９】
ここで、ＣＰＵ２１は、ＤＩＣアドレスから、ディスクテストゾーンＤＩＴに一切のデータが記録されていないと判別した場合、ＲＡＭ２４からＰＦＩ情報を読み出し、ディスクカウントゾーンＤＩＣの先頭部分である外周側から４ブロックに渡って当該ＰＦＩ情報を繰り返し記録し、ＤＩＣアドレスを４ブロック分進める。
【００６０】
さらに、ＣＰＵ２１は、ディスクテストゾーンＤＩＴの先頭部分である外周側から１６ブロックに渡ってパディング記録を実行し、当該ディスクテストゾーンＤＩＴの最終記録位置（最終使用アドレスを示すＤＩＴアドレス）を１６ブロック分進めると、次に実行されるＯＰＣ処理のために光ピックアップ４５のレーザ光の照射位置をＤＩＣアドレスが示すディスクテストゾーンＤＩＴ上の最終記録位置に保持した状態で記録準備処理を終了する。
【００６１】
これにより、ＣＰＵ２１は、ＤＶＤ＋Ｒに対し、第１セッションのクローズ処理が実行されていなくてもＤＶＤ＋Ｒ規格において記録すべきデータに制限のないディスクカウントゾーンＤＩＣの先頭から４ブロック部分にＰＦＩ情報を記録することにより、ＤＶＤ＋Ｒ規格を遵守しつつ、光ディスク５０のメインエリア内にＰＦＩ情報を記録することができる。またＣＰＵ２１は、ＯＰＣ用にいろいろなレーザパワーでデータが記録されるディスクテストゾーンＤＩＴではなく、一定のレーザパワーでデータが記録されるディスクカウントゾーンＤＩＣにＰＦＩ情報を記録したことにより、ＰＦＩ情報を読み出す際に記録データからアドレスが読み出せずシークできなくなってしまうトラブルを生じさせることなく、確実にＰＦＩ情報を読み出すことができる。
【００６２】
一方で、ＣＰＵ２１は、ディスクカウントゾーンＤＩＣにデータが記録され、使用済みの状態であった場合、光ピックアップ４５のレーザ光の照射位置をそのままディスクテストゾーンＤＩＴ上に保持した状態で記録準備処理を終了する。
【００６３】
このようにして、ディスクカムコーダ１は、バージン状態であるためディスクカウントゾーンＤＩＣが未記録な光ディスク５０に対して、低記録密度のＡＤＩＰから読み出されたＰＦＩ情報の複製をディスクカウントゾーンＤＩＣに記録することにより、確実に光ディスク５０のメインエリアにＰＦＩ情報を複製記録し得るようになされている。
【００６４】
（２−２）ＰＦＩ情報の取得
次に、光ディスク挿入時の記録準備処理において、ディスクカムコーダ１が、挿入部に挿入された光ディスク５０をＤＶＤ＋Ｒであると判別したとき、まず始めに実行するＰＦＩ情報の取得について説明する。
【００６５】
図２に示したように、ディスクカムコーダ１のＣＰＵ２１は、始めに高記録密度のメインエリアのリードインゾーンにあるコントロールデータゾーンＣＤＺに対してＰＦＩ情報の読出処理を実行する。上述したように、光ディスク５０において第１セッションのクローズ処理が実行されていた場合、このコントロールデータゾーンＣＤＺにはＰＦＩ情報が記録されているが、第１セッションのクローズ処理が未実行の場合、このコントロールデータゾーンＣＤＺには一切のデータが記録されていない。
【００６６】
ＣＰＵ２１は、挿入された光ディスク５０が第１セッションのクローズ処理を実行済みであった場合には、コントロールデータゾーンＣＤＺからＰＦＩ情報を取得すると共に、当該ＰＦＩ情報をＲＡＭ２４に一時記憶し、ＰＦＩ情報の取得を完了する。
【００６７】
一方、ＣＰＵ２１は、コントロールデータゾーンＣＤＺからＰＦＩ情報を取得できなかった場合には、当該コントロールデータゾーンＣＤＺから再生ＲＦ信号を検出できたか否かを判別し、何らかの原因で再生ＲＦ信号を検出したにも拘らずＰＦＩ情報を取得できなかった場合には、エラー終了する。
【００６８】
他方、ＣＰＵ２１は、コントロールデータゾーンＣＤＺからＰＦＩ情報を取得できず、さらに、再生ＲＦ信号をも検出できなかった場合には、当該コントロールデータゾーンＣＤＺが未記録であると認識し、ディスクカウントゾーンＤＩＣの外周側の先頭部分に対して読出処理を実行する。
【００６９】
ここで、上述したように、光ディスク挿入時の記録準備処理において、一度でもディスクカムコーダ１に挿入されたことのある光ディスク５０に対しては、高記録密度のディスクカウントゾーンＤＩＣにＰＦＩ情報が複製記録されている。また、一度もディスクカムコーダに挿入されたことのないバージン状態の光ディスク５０は、このディスクカウントゾーンＤＩＣにＰＦＩ情報が複製記録されておらず、低記録密度のＡＤＩＰに記録されているのみとなる。
【００７０】
ＣＰＵ２１は、挿入された光ディスク５０のディスクカウントゾーンＤＩＣにＰＦＩ情報が複製記録済みであった場合には、ディスクカウントゾーンＤＩＣからＰＦＩ情報を取得すると共に、当該ＰＦＩ情報をＲＡＭ２４に一時記憶し、ＰＦＩ情報の取得を完了する。
【００７１】
一方、ＣＰＵ２１は、ディスクカウントゾーンＤＩＣにＰＦＩ情報の複製記録がなされていなかった場合には、低記録密度のＡＤＩＰに対する読出処理を実行する。
【００７２】
このときＣＰＵ２１は、ＡＤＩＰからＰＦＩ情報を取得できた場合には、当該ＰＦＩ情報をＲＡＭ２４に一時記憶し、ＰＦＩ情報の取得を完了する。一方、ＣＰＵ２１は、ＡＤＩＰから再生エラー等によりＰＦＩ情報を取得できなかった場合には、エラー終了する。
【００７３】
ＣＰＵ２１は、コントロールデータゾーンＣＤＺ、ディスクカウントゾーンＤＩＣ、ＡＤＩＰのいずれかからＰＦＩ情報の取得を完了した場合、完了時点で、次の処理としてサーボ調整を実行し、光ディスク挿入時の記録準備処理を継続する。
【００７４】
このようにして、ＣＰＵ２１は、コントロールデータゾーンＣＤＺからＰＦＩ情報を取得できなかった場合、低記録密度のＡＤＩＰに対する読出処理の前に、高記録密度のディスクカウントゾーンＤＩＣに対して読出処理を実行するようにしたことにより、初めてディスクカムコーダ１に挿入されるバージン状態以外の光ディスク５０については低記録密度のＡＤＩＰからではなく高記録密度のディスクカウントゾーンＤＩＣからＰＦＩ情報を取得できるため、ＰＦＩ情報を取得する時間を短縮することができる。
【００７５】
（３）光ディスク挿入時の記録準備処理の手順
次に、図３〜図５に示すフローチャートを用いて、起動プログラムに従って実行される図３に示す光ディスク挿入時の記録準備処理手順ＲＴ１０と、ＰＦＩ情報取得処理手順を示すサブルーチンＳＲＴ２０と、ＰＦＩ情報記録処理手順を示すサブルーチンＳＲＴ３０とについて説明する。
【００７６】
ディスクカムコーダ１のＣＰＵ２１は、光ディスク挿入時の記録準備処理手順ＲＴ１を開始すると、ステップＳＰ２１において挿入部に光ディスク５０が挿入されるのを待ち受け、当該光ディスク５０が挿入されると次のステップＳＰ２２へ移る。
【００７７】
ＣＰＵ２１は、光ディスク５０の種別を確認し、当該光ディスク５０がＤＶＤ＋Ｒであるか否かを判別する。ここで、否定結果が得られた場合には、ステップＳＰ３０へ移り、当該光ディスク５０の種別に応じた処理を実行することにより、当該光ディスク５０の記録状況を認識して、ステップＳＰ３１へ移り、処理を終了する。
【００７８】
これに対してステップＳＰ２２で肯定結果が得られた場合には、光ディスク５０のフォーマットに応じた処理として、光ディスク挿入時の記録準備処理手順ＲＴ１を継続し、次のステップＳＰ２３へ移り、光ディスク５０からＰＦＩ情報を取得する。
【００７９】
すなわち、ステップＳＰ２３においてＣＰＵ２１は、サブルーチンＳＲＴ２０（図４）のステップＳＰ４１へ移り、高記録密度のリードインゾーン（図２）のコントロールデータゾーンＣＤＺに対する読出処理を実行し、次のステップＳＰ４２へ移る。
【００８０】
ステップＳＰ４２においてＣＰＵ２１は、コントロールデータゾーンＣＤＺからＰＦＩ情報が取得できたか否かについて判別する。ここで、肯定結果が得られた場合には、このことはＰＦＩ情報の取得を完了したことを意味しており、このときＣＰＵ２１は、サブルーチンＳＲＴ２０を正常に終了し、光ディスク挿入時の記録準備処理手順ＲＴ１（図３）のステップＳＰ２４へ移る。
【００８１】
これに対してステップＳＰ４２で否定結果が得られた場合、ＣＰＵ２１は、次のステップＳＰ４３へ移り、コントロールデータゾーンＣＤＺの読出処理の際、再生ＲＦ信号が検出できたか否かについて判別する。
【００８２】
ここで、肯定結果が得られた場合には、このことはコントロールデータゾーンＣＤＺに記録されているＰＦＩ情報を読み出すことができないことを意味しており、このときＣＰＵ２１は、ＰＦＩ情報の取得を中止し、エラー終了する。
【００８３】
これに対してステップＳＰ４３で否定結果が得られた場合には、コントロールデータゾーンＣＤＺが未記録であり、他の領域からＰＦＩ情報を取得する必要があることを意味しており、このときＣＰＵ２１は、次のステップＳＰ４４へ移る。
【００８４】
ステップＳＰ４４において、ＣＰＵ２１は、高記録密度の領域であり、記録されるデータの訂正能力が高いインナードライブエリアのディスクカウントゾーンＤＩＣ（図２）の先頭から４ブロックに対して読出処理を実行し、次のステップＳＰ４５へ移る。
【００８５】
ステップＳＰ４５において、ＣＰＵ２１は、ディスクカウントゾーンＤＩＣからＰＦＩ情報が取得できたか否かについて判別する。ここで、肯定結果が得られた場合には、このことはＰＦＩ情報の取得を完了したことを意味しており、このときＣＰＵ２１は、サブルーチンＳＲＴ２０を正常に終了し、光ディスク挿入時の記録準備処理手順ＲＴ１（図３）のステップＳＰ２４へ移る。
【００８６】
これに対してステップＳＰ４５で否定結果が得られた場合、ＣＰＵ２１は、次のステップＳＰ４６へ移り、低記録密度の領域であるＡＤＩＰ（図２）に対して読出処理を実行し、次のステップＳＰ４７へ移る。
【００８７】
ステップＳＰ４７において、ＣＰＵ２１は、ＡＤＩＰからＰＦＩ情報を取得できたか否かについて判別する。
【００８８】
ここで、否定結果が得られた場合、このことはＰＦＩ情報が記録された可能性のある領域を全て読み出したにも拘らずＰＦＩ情報を取得できなかったことを意味しており、このときＣＰＵ２１は、ＰＦＩ情報の取得を中止し、エラー終了する。
【００８９】
これに対してステップＳＰ４７で肯定結果が得られた場合には、このことはＰＦＩ情報の取得を完了したことを意味しており、このときＣＰＵ２１は、サブルーチンＳＲＴ２０を正常に終了し、光ディスク挿入時の記録準備処理手順ＲＴ１（図３）のステップＳＰ２４へ移る。
【００９０】
ステップＳＰ２４において、ＣＰＵ２１は、サーボ調整を実行すると、次のステップＳＰ２５でインナードライブエリアのＴＯＣゾーン（図２）から撮像データファイルに関する情報を表すＴＯＣ情報を取得し、次のステップＳＰ２６でリードインゾーンのディスクＩＤゾーンから光ディスク５０に固有のディスクＩＤ情報を取得すると、次のステップＳＰ２７へ移る。
【００９１】
ステップＳＰ２７において、ＣＰＵ２１は、リードインゾーンからディスクカウントゾーンＤＩＣを検索し、ディスクテストゾーンＤＩＴのＤＩＴアドレスを表すＤＩＣアドレスを読み出すと、次のステップＳＰ２８へ移る。
【００９２】
ステップＳＰ２８において、ＣＰＵ２１は、ディスクカウントゾーンＤＩＣの先頭から４ブロックにデータが記録されているか否かを判別する。ここで、肯定結果が得られた場合には、このことはディスクカウントゾーンＤＩＣにはＰＦＩ情報が既に記録されていることを意味しており、このときＣＰＵ２１は、次のステップＳＰ３１へ移り、処理を終了する。
【００９３】
これに対して、ステップＳＰ２８で否定結果が得られた場合には、このことはこの光ディスク５０はバージン状態であり、ディスクカウントゾーンＤＩＣにＰＦＩ情報が記録されていないことを意味しており、このときＣＰＵ２１は、次のステップＳＰ２９へ移り、ディスクカウントゾーンＤＩＣにＰＦＩ情報を記録する。
【００９４】
すなわち、ステップＳＰ２９において、ＣＰＵ２１は、サブルーチンＳＲＴ３０（図５）のステップＳＰ５１へ移り、ディスクカウントゾーンＤＩＣの先頭から４ブロック分ＰＦＩ情報を繰り返し記録し、次のステップＳＰ５２でＤＩＣアドレスが４ブロック分進んだ（DIC Address-=0*40）ことを確認すると、次のステップＳＰ５３へ移る。
【００９５】
ステップＳＰ５３において、ＣＰＵ２１は、ディスクテストゾーンＤＩＴの先頭から１６ブロック分ダミーデータをパディング記録し、次のステップＳＰ５４でＤＩＴアドレスが１６ブロック分進んだ（DIT Address-=0*100）ことを確認すると、光ディスク挿入時の記録準備処理手順ＲＴ１（図３）のステップＳＰ３１へ移り、処理を終了する。
【００９６】
（４）動作及び効果
以上の構成において、ディスクカムコーダ１のＣＰＵ２１は、記録条件情報であるＰＦＩ情報がデータ記録領域であるメインエリアよりも低記録密度領域であるＡＤＩＰに記録され、所定のクローズ処理である第１セッションのクローズ処理が実行されるまでＰＦＩ情報が書込領域であるコントロールデータゾーンＣＤＺに記録されないＤＶＤ＋Ｒが光ディスク５０として挿入されると、複製領域であるディスクカウントゾーンＤＩＣが未記録であるか否かを判別することより、光ディスク５０の高記録密度領域であるメインエリアにＰＦＩ情報が複製記録されているか否かを判別する。そしてＣＰＵ２１は、ディスクカウントゾーンＤＩＣが未記録なため、メインエリア内にＰＦＩ情報が複製記録されていないと判別した場合には、ＡＤＩＰからＰＦＩ情報を読み出し、ディスクカウントゾーンＤＩＣに当該ＰＦＩ情報を複製記録するようにした。
【００９７】
これにより、ＣＰＵ２１は、光ディスク５０が挿入されてから取り出されるまでの間に、ＰＦＩ情報がディスクカウントゾーンＤＩＣに複製記録された状態へ確実にすることができ、その光ディスク５０が一旦取出された後に再度当該光ディスク５０が挿入された際には、ディスクカウントゾーンＤＩＣからＰＦＩ情報を読み出すことができるため、短時間で記録準備処理を終了し記録可能（撮像開始可能）な状態となるため、ユーザが光ディスク５０をディスクカムコーダ１に挿入してから撮像開始までの時間を短縮することができ、撮像機会を逸することなく撮像データの記録処理を実行させることができる。
【００９８】
さらに、ＣＰＵ２１は、既存の管理情報領域であるディスクカウントゾーンＤＩＣにＰＦＩ情報を複製記録するようにしたことにより、撮像データを記録するメインエリアのデータゾーンを使用せず、データゾーン全体の記録容量を減少させない。また、ディスクカウントゾーンＤＩＣはその記録容量に余裕があるため、ＰＦＩ情報の記録のために４ブロック使用しても、ＯＰＣ処理の際にデータ容量が不足するなどのトラブルを生じさせることもない。
【００９９】
また、ＣＰＵ２１は、光ディスク５０に撮像データを記録する前となる光ディスク挿入時の記録準備処理において、光ディスク５０からコントロールデータゾーンＣＤＺの１ブロックに対する読出処理を実行し、当該コントロールデータゾーンＣＤＺが未記録であるためＰＦＩ情報が取得できなかった場合のみ、ディスクカウントゾーンＤＩＣの４ブロックに対する読出処理を実行し、当該ディスクカウントゾーンＤＩＣが未記録であるためにＰＦＩ情報が取得できなかった場合にのみ、ＡＤＩＰの６４ブロックに対する読出処理を実行してＰＦＩ情報を取得することにより、コントロールデータゾーンＣＤＺとディスクカウントゾーンＤＩＣとの両方からＰＦＩ情報を読み出すことができなかった場合に、ＡＤＩＰからＰＦＩ情報を読み出すようにした。
【０１００】
これにより、ＣＰＵ２１は、ＰＦＩ情報を取得する際、記録ブロック数が小さく読出時間が短くて済む領域から順番に読出処理を実行するようにして、ＰＦＩ情報を取得した時点で次の処理へ移行するため、ＰＦＩ情報を取得するための処理時間を最小限にすることができ、光ディスク挿入時の記録準備処理に要する時間を極力最小限にすることができる。
【０１０１】
以上の構成によれば、本発明のディスクカムコーダ１は、ＰＦＩ情報がメインエリアよりも低記録密度領域であるＡＤＩＰに記録され、第１セッションのクローズ処理が実行されるまで当該ＰＦＩ情報がメインエリアに複製記録されないＤＶＤ＋Ｒが光ディスク５０として挿入されると、ディスクカウントゾーンＤＩＣが未記録であるか否かを判別し、ディスクカウントゾーンＤＩＣが未記録な場合には、ＡＤＩＰからＰＦＩ情報を読み出し、ディスクカウントゾーンＤＩＣに当該ＰＦＩ情報を複製記録することにより、確実にＰＦＩ情報が当該光ディスク５０のディスクカウントゾーンＤＩＣに複製記録された状態にすることができるため、その光ディスクが一旦取出された後に再度当該光ディスク５０が挿入された際には、低記録密度のＡＤＩＰではなく高記録密度のディスクカウントゾーンＤＩＣからＰＦＩ情報を読み出すことができ、かくして第１セッションのクローズ処理が実行されていない光ディスク５０であっても、記録準備処理に要する時間を短縮することができる。
【０１０２】
（５）他の実施の形態
なお上述の実施の形態においては、ディスクカウントゾーンＤＩＣにＰＦＩ情報を繰り返し４ブロック分記録するようにした場合について述べたが、本発明はこれに限らず、その記録データ量には制限されず、また、記録データ量を規定するのではなく、所定回数繰り返し記録するようにしても良い。
【０１０３】
また上述の実施の形態においては、ディスクカウントゾーンＤＩＣにＰＦＩ情報を４ブロック分記録し、対応するディスクテストゾーンＤＩＴに対応する１６ブロック分のダミーデータをパディング記録するようにした場合について述べたが、本発明はこれに限らず、必ずしもディスクテストゾーンＤＩＴにダミーデータをパディング記録しなくても良い。
【０１０４】
さらに上述の実施の形態においては、ＯＰＣ処理の前にＰＦＩ情報を記録するようにした場合について述べたが、本発明はこれに限らず、ＯＰＣ処理の後にＰＦＩ情報を記録するようにしても良い。この場合、例えばディスクカムコーダ１は、ＤＩＴアドレスを取得した後、ディスクテストゾーンＤＩＴの１７ブロック目以降からＯＰＣ処理を実行し、最適化された記録条件で光ピックアップ４５を制御してＰＦＩ情報を記録する。
【０１０５】
これにより、ディスクカムコーダ１は、ＯＰＣ処理によって最適化された記録条件でＰＦＩ情報を記録できるため、ＰＦＩ情報を一段と高い精度で記録することができる。
【０１０６】
さらに上述の実施の形態においては、光ディスク挿入時の記録準備処理の際にＰＦＩ情報をディスクカウントゾーンＤＩＣに記録するようにした場合について述べたが、本発明はこれに限らず、例えば光ディスク５０を取り出すための指示がユーザからなされたときに実行するなど、光ディスク５０が挿入されてから取り出されるまでの間のうち、いずれかのタイミングで実行するようにすれば良い。
【０１０７】
さらに上述の実施の形態においては、ディスクカウントゾーンＤＩＣにＰＦＩ情報を記録するようにした場合について述べたが、本発明はこれに限らず、メインエリア内で規格上記録すべきデータの内容が規定されていない領域であれば何れの領域に記録するようにしても良く、例えばアドミニストレーションゾーンやディスクテストゾーンＤＩＴに記録するようにしても良い。
【０１０８】
さらに上述の実施の形態においては、ディスクカウントゾーンＤＩＣの外周側の先頭部分にＰＦＩ情報を記録するようにした場合について述べたが、本発明はこれに限らず、いずれの位置から記録を開始するようにしても良い。
【０１０９】
このとき、例えばディスクカウントゾーンＤＩＣにおいてＯＰＣ処理の際に使用されることの少ない所定の記録位置にＰＦＩ情報の記録処理を実行することにより、本発明を適用していない従来の記録装置に挿入され、ディスクカウントゾーンＤＩＣの一部が記録済みのバージン状態でない光ディスク５０に対し、当該記録位置が未記録であるか否かを判別して未記録の場合はＰＦＩ情報を記録するようにできる。
【０１１０】
さらに上述の実施の形態においては、光ディスク５０として、ＤＶＤ＋Ｒを使用するようにした場合について述べたが、本発明はこれに限らず、光ディスク５０の種別に制限はなく、光ディスクの物理情報がＡＤＩＰやＬＰＰのような記録密度の低い状態で予め記録され、取り出された場合であっても光ディスクの物理情報が複製記録されない光ディスクであれば、どのような光ディスクを用いる場合でも本実施の形態と同様の効果を得ることができる。
【０１１１】
さらに上述の実施の形態においては、ディスクカムコーダ１は、１層の記録層を有する光ディスク５０を用いて一つのＰＦＩ情報について処理するようにした場合について述べたが、本発明はこれに限らず、２層の記録層を有する光ディスク５０が挿入された場合には、１層目、２層目に記録されている２つのＰＦＩ情報を一つのディスクカウントゾーンＤＩＣにまとめて記録するようにする。このＰＦＩ情報のデータ量は、２つ足した場合であっても１ブロック以下であることから、本実施形態と同様の４ブロック内に問題なく当該２つのＰＦＩ情報を記録することができる。このとき、２つのＰＦＩ情報を単に連続して記録して、読み出す際にデータ内容から１層目と２層目のＰＦＩ情報を区別するようにしてもよく、また、２つのＰＦＩ情報に別途識別情報を付加することによりそれぞれを識別するようにしても良い。
【０１１２】
さらに上述の実施の形態においては、ディスクカムコーダ１は、コントロールデータゾーンＣＤＺ、ディスクカウントゾーンＤＩＣ、ＡＤＩＰの順で読出処理を実行するようにした場合について述べたが、本発明はこれに限らず、ディスクカウントゾーンＤＩＣ、コントロールデータゾーンＣＤＺ、ＡＤＩＰの順で読出処理を実行するようにしても良い。
【０１１３】
ここで、主に再生に使用されるディスクカムコーダ１では、第１セッションのクローズ処理を実行済みの光ディスク５０が挿入される可能性が高く、主に記録に使用されるディスクカムコーダ１では、第１セッションのクローズ処理を実行していない光ディスク５０が挿入される可能性が高いため、主に再生に使用されるディスクカムコーダ１ではコントロールデータゾーンＣＤＺに対して先に読出処理し、主に記録に使用されるディスクカムコーダ１ではディスクカウントゾーンＤＩＣに対して先に読出処理するように、挿入されると想定される光ディスク５０に応じて読出処理の順番を適宜変更することで、ＰＦＩ情報の取得が完了するまでの時間を一段と短縮することができる。
【０１１４】
さらに上述の実施の形態においては、撮像、記録及び再生機能を有するディスクカムコーダ１が光ディスク挿入時の記録準備処理を実行するようにした場合について述べたが、本発明はこれに限らず、光ディスクに対するデータの記録機能を有するコンピュータや、記録機能のみを有する記録装置、記録機能及び再生機能のみを有する記録再生装置が光ディスク挿入時の記録準備処理を実行した場合であっても、本実施の形態と同様の効果を得ることができる。
【０１１５】
さらに上述の実施の形態においては、判別部であるＣＰＵ２１と、読出部及び記録部である光ピックアップ４５とによって本発明の記録装置であるディスクカムコーダ１を構成するようにした場合について述べたが、本発明はこれに限らず、その他種々の構成でなる判別部と、読出部と、記録部とによって記録装置を構成するようにしても良い。
【産業上の利用可能性】
【０１１６】
本発明は、例えばディスクカムコーダや、光ディスクドライブ、ＤＶＤレコーダ等のように光ディスクにデータを記録する記録装置に利用することができる。
【図面の簡単な説明】
【０１１７】
【図１】本発明によるディスクカムコーダの全体構成を示す略線的ブロック図である。
【図２】ＰＦＩ情報のディスクカウントゾーンへの記録の説明に供する略線図である。
【図３】本実施の形態による光ディスク挿入時の記録準備処理手順の説明に供するフローチャートである。
【図４】本実施の形態によるＰＦＩ情報取得処理手順の説明に供するフローチャートである。
【図５】本実施の形態によるＰＦＩ情報記録処理手順の説明に供するフローチャートである。
【図６】ＰＦＩ情報の記録領域を示す略線図である。
【図７】ＡＤＩＰの構成の説明に供する略線図である。
【図８】ＥＣＣブロックの構成を示す略線図である。
【図９】従来の記録準備処理手順の説明に供するフローチャートである。
【図１０】従来のＰＦＩ情報取得処理手順の説明に供するフローチャートである。
【符号の説明】
【０１１８】
１……ディスクカムコーダ、２……制御部、３……カメラ部、４……記録再生処理部、２１……ＣＰＵ、２３……ＲＯＭ、２４……ＲＡＭ、４１……記録再生制御部、４５……光ピックアップ、４６……信号処理部、４８……符号化／復号回路。
【図１】
2007188584.tif 000003
【図２】
2007188584.tif 000004
【図３】
2007188584.tif 000005
【図４】
2007188584.tif 000006
【図５】
2007188584.tif 000007
【図６】
2007188584.tif 000008
【図７】
2007188584.tif 000009
【図８】
2007188584.tif 000010
【図９】
2007188584.tif 000011
【図１０】
2007188584.tif 000012